【手続補正書】
【提出日】平成16年10月26日(2004.10.26)
【手続補正１】
【補正対象書類名】明細書
【補正対象項目名】特許請求の範囲
【補正方法】変更
【補正の内容】
【特許請求の範囲】
【請求項１】
被呼パーティの端末において、被呼パーティに、呼をスクリーニングする能力を提供するための方法であって、本方法が：
前記被呼パーティの端末に向けられた呼を、発呼パーティが前記被呼パーティへのメッセージを残すことができるように、音声メールボックスに転送するステップ；
単信の呼を前記被呼パーティの端末に向けて開始するステップ；および
前記発呼パーティが前記被呼パーティの端末へのメッセージを残しているのを前記被呼パーティが聞くことができるように、前記音声メールボックスに転送された前記呼と前記被呼パーティの端末に向けられた前記単信の呼をブリッジングするステップ、を含むことを特徴とする方法。
【請求項２】
さらに：
前記被呼パーティの端末から受信されたシグナリングに応答して、前記被呼パーティの端末に向けて双方向呼を開始するステップ；および
前記音声メールボックスに転送された前記呼と前記双方向呼とをブリッジングするステップ、を含むことを特徴とする請求項１の方法。
【請求項３】
前記単信の呼を開始するステップが、前記被呼パーティの端末に向けて、前記発呼パーティが前記被呼パーティの端末へのメッセージを残している最中であることを示す特有な呼び出し信号を送るステップを含むことを特徴とする請求項１の方法。
【請求項４】
前記単信の呼を開始するステップが、前記被呼パーティの端末に向けて、呼待ち指標を送るステップを含むことを特徴とする請求項１の方法。
【請求項５】
前記単信の呼を開始するステップが、前記被呼パーティの端末に向けて、発呼パーティの端末が前記呼と関連するセルラ料金を支払うことを選択したことを示す信号を送るステップを含むことを特徴とする請求項１の方法。
【請求項６】
前記被呼パーティの端末に向けられた前記双方向呼が、前記被呼パーティの端末から受信されるＤＴＭＦシグナリングに応答して開始されることを特徴とする請求項２の方法。
【請求項７】
前記音声メールボックスに向けられた呼と前記単信の呼とをブリッジングする前記ステップが、前記発呼パーティがシステム／個人挨拶を聞いている最中に起こることを特徴とする請求項２の方法。
【請求項８】
前記音声メールボックスに向けられた呼と前記単信の呼とをブリッジングする前記ステップが、前記発呼パーティが前記被呼パーティの端末へのメッセージを残すことを開始したときに起こることを特徴とする請求項２の方法。
【請求項９】
被呼パーティの端末において被呼パーティに呼スクリーニング能力を提供するための方法であって、本方法が：
前記被呼パーティの端末に向けられた呼を、発呼パーティが前記被呼パーティのためのメッセージを残すことができるように、音声メッセージングシステムに転送するステップ；
単信の呼を前記被呼パーティの端末に向けて開始するステップ；
前記発呼パーティが前記被呼パーティの端末へのメッセージを残しているのを前記被呼パーティが聞くことができるように、前記音声メッセージングシステムに転送された前記呼と前記被呼パーティの端末に向けられた前記単信の呼とをブリッジングするステップ；
前記被呼パーティの端末から受信されたシグナリングに応答して、前記被呼パーティの端末に向けて双方向呼を開始するステップ；および
前記音声メッセージングシステムに転送された前記呼と前記双方向呼とを、前記発呼パーティと前記被呼パーティが通信できるように、ブリッジングするステップ、を含むことを特徴とする方法。
【請求項１０】
前記単信の呼を開始するステップが、前記発呼パーティが、現在、前記被呼パーティの端末へのメッセージを残している最中であることを示す特有な呼び出し信号を、前記被呼パーティの端末に向けて送るステップを含むことを特徴とする請求項９の方法。
【請求項１１】
前記単信の呼を開始するステップが、前記被呼パーティの端末に向けて、呼待ち指標を送るステップを含むことを特徴とする請求項９の方法。
【請求項１２】
前記単信の呼を開始するステップが、発呼パーティの端末が前記呼と関連するセルラ料金を支払うことを選択したことを示す特有なトーンを前記被呼パーティの端末に向けて発するステップを含むことを特徴とする請求項９の方法。
【請求項１３】
前記被呼パーティの端末に向けられた前記双方向呼が、前記被呼パーティの端末から受信されるＤＴＭＦシグナリングに応答して開始されることを特徴とする請求項９の方法。
【請求項１４】
前記音声メッセージングシステムに向けられた呼と前記単信の呼とをブリッジングする前記ステップが、前記発呼パーティが挨拶を聞いている最中に起こることを特徴とする請求項９の方法。
【請求項１５】
前記音声メッセージングシステムに向けられた呼と前記単信の呼とをブリッジングする前記ステップが、前記発呼パーティが前記被呼パーティの端末へのメッセージを残すことを開始するときに起こることを特徴とする請求項９の方法。
【請求項１６】
被呼パーティの端末において被呼パーティに呼をスクリーニングする能力を提供するための方法であって、本方法が：
前記被呼パーティの端末に向けられた呼を、発呼パーティが前記被呼パーティのためのメッセージを残すことができるように、音声メールボックスに転送するステップ；
呼を前記被呼パーティの端末に向けて開始するステップ；および
前記発呼パーティが前記被呼パーティの端末へのメッセージを残しているのを前記被呼パーティが聞くことができるように、前記音声メールボックスに転送された前記呼と前記被呼パーティの端末に向けられた前記呼とをブリッジングするステップ、を含むことを特徴とする方法。
【請求項１７】
前記呼を開始するステップが、前記被呼パーティの端末に向けて、呼待ち指標を送るステップを含むことを特徴とする請求項１６の方法。
【請求項１８】
前記呼を開始するステップが、前記被呼パーティの端末に向けて、発呼パーティの端末が前記呼と関連するセルラ料金を支払うことを示す信号を送るステップを含むことを特徴とする請求項１６の方法。
【請求項１９】
スイッチに接続された発呼パーティの端末と被呼パーティの端末とを含む網において、前記被呼パーティの端末において、被呼パーティに呼スクリーニング能力を提供するためのシステムであって、本システムが：
音声メッセージを格納するための音声メールボックス；および
自動ブリッジ手段を含み；
前記スイッチが、前記発呼パーティの端末から前記被呼パーティの端末に向けられた第一の呼を、前記自動ブリッジ手段に送り、前記自動ブリッジ手段が、（ａ）前記発呼パーティの端末において発信者が前記被呼パーティの端末へのメッセージを残すことができるように、前記第一の呼を、前記音声メールボックスに向けて転送し、（ｂ）前記被呼パーティの端末に向けて単信の呼を開始し、（ｃ）前記発呼パーティが前記被呼パーティの端末へのメッセージを残しているのを前記被呼パーティが聞くことができるように、前記第一の呼と前記単信の呼とをブリッジする、ことを特徴とするシステム。
【請求項２０】
前記スイッチが構内交換機であることを特徴とする請求項１９のシステム。
【請求項２１】
前記スイッチが中央局スイッチであることを特徴とする請求項１９のシステム。
【請求項２２】
前記スイッチが、インタエクスチェンジキャリアスイッチであることを特徴とする請求項１９のシステム。
【請求項２３】
前記自動ブリッジ手段がさらに：
（ｄ）前記被呼パーティの端末から受信されたＤＴＭＦシグナリングに応答して、前記被呼パーティの端末に向けて双方向呼を開始し；
（ｅ）前記第一の呼と前記双方向呼とを、前記発呼パーティと前記被呼パーティが互いに通信できるようにブリッジする、ことを特徴とする請求項１９のシステム。
【請求項２４】
前記自動ブリッジ手段が、前記スイッチの内に設けられることを特徴とする請求項１９のシステム。
【請求項２５】
前記自動ブリッジ手段が、前記スイッチに対する付属物として設けられることを特徴とする請求項１９のシステム。
【請求項２６】
前記自動ブリッジ手段が、前記発呼パーティが前記被呼パーティの端末に対するメッセージを残している最中であることを示す特有な呼び出し信号を、前記被呼パーティの端末に向けて送ることを特徴とする請求項１９のシステム。
【請求項２７】
前記自動ブリッジ手段が、前記被呼パーティの端末に向けて、呼待ち指標を送ることを特徴とする請求項１９のシステム。
【請求項２８】
前記自動ブリッジ手段が、前記発呼パーティの端末が前記呼と関連するセルラ料金を支払うことを選択したことを示す信号を、前記被呼パーティの端末に向けて送ることを特徴とする請求項１９のシステム。
【請求項２９】
発呼パーティによって掛けられた被呼パーティに向けての第一の呼をスクリーニングする能力を前記被呼パーティに提供するための方法であって、本方法が：
前記第一の呼を網ベースの音声メッセージングシステムにルーティングするステップ；
前記網ベースの音声メッセージングシステムと前記被呼パーティとの間の第二の呼を設定するステップ；および
前記発呼パーティが前記網ベースの音声メッセージングシステムにおいて前記被呼パーティへのメッセージを残している最中に、前記第二の呼を介して、発呼パーティの音声信号を、前記被呼パーティに向けて提供するステップ、を含むことを特徴とする方法。
【請求項３０】
前記第二の呼が、単信の呼であることを特徴とする請求項２９の方法。